(57)【要約】【課題】接続された外部機器と関連性の高いアプリケーションソフトウェアを容易に使用できる携帯型電子機器を提供する。【解決手段】一実施の形態による携帯型電子機器において、記憶部１０は、インストールされた複数のアプリケーションソフトウェアを記憶する。表示部１１は、各アプリケーションソフトウェアに個別に対応する指標を表示可能である。操作部１２を用いて、ユーザが指標を選択する操作を行うことによって、選択されたアプリケーションソフトウェアが起動する。インタフェース部１４は、複数の外部機器を接続可能である。制御部１３は、インタフェース部１４に外部機器が接続されたとき、接続された外部機器の種類に応じて、表示部１１に表示する指標を変更するかまたは指標の並び順を変更するように構成されている。【選択図】図３
2014174742.tif 000002
【特許請求の範囲】
【請求項１】
インストールされた複数のアプリケーションソフトウェアを記憶する記憶部と、
各前記アプリケーションソフトウェアに個別に対応する指標を表示可能な表示部と、
ユーザが前記指標を選択する操作を行うことによって、選択されたアプリケーションソフトウェアを起動させるための操作部と、
複数の外部機器を接続可能なインタフェース部と、
前記表示部を制御する制御部とを備え、
前記制御部は、前記インタフェース部に外部機器が接続されたとき、接続された外部機器の種類に応じて、前記表示部に表示する前記指標を変更するかまたは前記指標の並び順を変更する表示画面変更を行うように構成されている、携帯型電子機器。
【請求項２】
前記記憶部は、前記複数の外部機器の各々について、各前記外部機器を使用して動作可能な１または複数のアプリケーションソフトウェアとの対応関係をさらに記憶し、
前記制御部は、前記インタフェース部に外部機器が接続されたとき、接続された外部機器に対応するインストール済みのアプリケーションソフトウェアを前記記憶部に記憶されている前記対応関係に基づいて特定し、特定した結果に基づいて前記表示画面変更を行う、請求項１に記載の携帯型電子機器。
【請求項３】
前記表示部は、前記指標をアイコンとして表示し、
前記制御部は、前記表示画面変更において、接続された外部機器に対応しているインストール済みのアプリケーションソフトウェアを起動するための前記指標を、前記表示部の特定領域に表示する、請求項２に記載の携帯型電子機器。
【請求項４】
前記制御部は、前記表示画面変更において、接続された外部機器に対応しているインストール済みのアプリケーションソフトウェアを起動するための前記指標が、前記表示部の上部に優先的に表示されるように、前記指標の並び順を変更する、請求項２に記載の携帯型電子機器。
【請求項５】
携帯型電子機器の制御プログラムであって、
前記携帯型電子機器は、
インストールされた複数のアプリケーションソフトウェアを記憶する記憶部と、
各前記アプリケーションソフトウェアに個別に対応する指標を表示可能な表示部と、
ユーザが前記指標を選択する操作を行うことによって、選択されたアプリケーションソフトウェアを起動させるための操作部と、
複数の外部機器を接続可能なインタフェース部と、
前記表示部を制御する制御部とを備え、
前記制御プログラムは、
前記インタフェース部に外部機器が接続されたことを検知するステップと、
接続された外部機器の種類に応じて、前記表示部に表示する前記指標を変更するかまたは前記指標の並び順を変更する表示画面変更を行うステップとを前記制御部に実行させる、携帯型電子機器の制御プログラム。
【発明の詳細な説明】
【技術分野】
【０００１】
この発明は、携帯型電子機器およびその制御プログラムに関し、たとえば、スマートフォンまたはフィーチャーフォンなどの携帯通信端末に好適に用いられるものである。
【背景技術】
【０００２】
スマートフォンなどの携帯型電子機器の表示部には、通常、アプリケーションソフトウェアを起動するためのショートカットアイコンまたはウィジェット（以下、「指標」と総称する場合がある）が表示されている。携帯型電子機器に多数のアプリケーションソフトウェアがインストールされている場合には、ショートカットアイコンおよびウィジェットは複数の画面にわたって多数表示されることになる。このため、ユーザは、起動したいアプリケーションソフトウェアを表すショートカットアイコン／ウィジェットを画面上で探すのに手間取るようになってきている。
【０００３】
上記の問題に関連する技術として、たとえば、特開２０１２−００３４８７号公報（特許文献１）に記載された技術が知られている。この文献の情報処理装置は、アプリケーションプログラムの起動を指示したときの自装置の位置を記録する。あるアプリケーションプログラムを過去に所定回数以上起動指示したことがある位置周辺では、該アプリケーションプログラムを起動するためのショートカットが設定される。
【先行技術文献】
【特許文献】
【０００４】
【特許文献１】特開２０１２−００３４８７号公報
【発明の概要】
【発明が解決しようとする課題】
【０００５】
ところで、ヘッドフォンまたはマイクなどの外部機器が接続された場合には、接続された外部機器を利用するアプリケーションソフトウェアが使用される可能性が高いと考えられる。しかしながら、先行技術文献には、ショートカットまたはウィジェットの表示と外部機器との関連性に着目した記載はない。
【０００６】
この発明の主たる目的は、接続された外部機器と関連性の高いアプリケーションソフトウェアを容易に使用できる携帯型電子機器を提供することである。
【課題を解決するための手段】
【０００７】
一実施の形態による携帯型電子機器は、記憶部と、表示部と、操作部と、インタフェース部と、表示部を制御する制御部とを備える。記憶部は、インストールされた複数のアプリケーションソフトウェアを記憶する。表示部は、各アプリケーションソフトウェアに個別に対応する指標を表示可能である。操作部を用いて、ユーザが指標を選択する操作を行うことによって、選択されたアプリケーションソフトウェアが起動する。インタフェース部は、複数の外部機器を接続可能である。制御部は、インタフェース部に外部機器が接続されたとき、接続された外部機器の種類に応じて、表示部に表示する指標を変更するかまたは指標の並び順を変更するように構成されている。
【発明の効果】
【０００８】
上記の実施の形態によれば、接続された外部機器と関連性の高いアプリケーションソフトウェアを容易に使用できるようになる。
【図面の簡単な説明】
【０００９】
【図１】実施の形態１による携帯型電子機器の外観の一例を示す図である。
【図２】図１の携帯型電子機器のハードウェア構成を示すブロック図である。
【図３】図２の携帯型電子機器の機能を示すブロック図である。
【図４】図３のテーブル記憶部に記憶されているテーブルの一例を示す図である。
【図５】図３の表示設定記憶部に記憶されている表示態様の設定値の一例を示す図である。
【図６】携帯型電子機器に外部機器が接続されたときの表示画面の変更手順を示すフローチャートである。
【図７】図１の携帯型電子機器に外部機器が接続されたときの表示画面の一例を示す図である。
【図８】図７のアイコン２０を拡大して示す図である。
【図９】図１の携帯型電子機器に外部機器が接続されたときの表示画面の他の例を示す図である。
【図１０】図１の携帯型電子機器に外部機器が接続されたときの表示画面のさらに他の例を示す図である。
【図１１】実施の形態２による携帯型電子機器の外観の一例を示す図である。
【図１２】図１１の携帯型電子機器に外部機器が接続されたときの表示画面の一例を示す図である。
【発明を実施するための形態】
【００１０】
以下、実施の形態について図面を参照して詳しく説明する。なお、同一または相当する部分には同一の参照符号を付して、その説明を繰返さない。
【００１１】
＜実施の形態１＞
［携帯型電子機器の全体構成］
図１は、実施の形態１による携帯型電子機器１の外観の一例を示す図である。実施の形態１では、携帯型電子機器１の一例としてスマートフォンの場合について説明する。
【００１２】
図１を参照して、携帯型電子機器１は、板状の筺体２を有し、筺体２の前面には表示部１１が設けられる。この表示部１１と一体化してタッチパネル操作部１２１が設けられる。ユーザは、タッチパネル１２１をタッチすることによって入力操作を行うことができる。さらに、筺体２の前面上部には、ＬＥＤ（Light  Emitting  Diode）５が設けられ、筺体２の上側面には、ヘッドフォン６１のプラグを挿入するためのイヤフォンジャック（図示省略）が設けられている。携帯型電子機器１には、さらに、図示しないスピーカ、アンテナ、およびボタン操作部（図３の参照符号１２２）なども設けられている。ボタン操作部１２２は、たとえば、ホームボタンおよび音量ボタンなどを含む。
【００１３】
図１に示す例において、表示部１１には、スマートフォンの待ち受け画面（ホーム画面とも称する）が表示されている。待ち受け画面は、アプリケーションソフトウェアにそれぞれ対応するショートカットアイコンＡ〜Ｈを含む（ショートカットに代えてウィジェットでもよい）。ユーザは、各ショートカットアイコンが表示されている箇所のタッチパネルをタッチすることによって、タッチされた箇所のショートカットアイコンに対応するアプリケーションソフトウェアを起動させることができる。
【００１４】
後で詳しく説明するように、実施の形態１による携帯型電子機器１では、ヘッドフォン６１などの外部機器（図２の参照符号６）が携帯型電子機器１に接続されたとき、表示部１１の特定領域４の表示内容が変更される。具体的には、接続された外部機器６を使用するアプリケーションソフトウェアに対応したショートカットアイコンがこの特定領域４に自動生成される。特定領域４の位置および特定領域４に表示するショートカットアイコンの数はユーザによって設定可能である（これらの設定値は、図３の表示設定記憶部１０２に記憶される）。
【００１５】
図２は、図１の携帯型電子機器１のハードウェア構成を示すブロック図である。図２を参照して、携帯型電子機器１は、記憶部１０と、表示部１１と、操作部１２と、制御部１３と、インタフェース部１４と、これらの要素間を接続するバス１５とを含む。
【００１６】
記憶部１０は、たとえば、フラッシュメモリなどの不揮発性メモリによって構成され、プログラムおよびデータを格納する。記憶部１０の詳細な機能については、図３の機能ブロック図を参照して後述する。
【００１７】
表示部１１は、待ち受け画面、もしくはアプリケーションソフトウェアに応じた画面などを表示する。表示部１１として、たとえば、液晶ディスプレイまたは有機ＥＬ（Electro-Luminescence）ディスプレイが用いられる。
【００１８】
操作部１２は、図３に示すようにタッチパネル操作部１２１およびボタン操作部１２２を含む。ユーザは、操作部１２を用いて表示部１１に表示されたショートカットアイコンを選択する操作を行う。選択されたショートカットアイコンに対応するアプリケーションソフトウェアが起動される。
【００１９】
制御部１３は、たとえば、マイクロプロセッサであり、制御プログラムに従って動作することによって携帯型電子機器１の全体の動作を制御する。制御部１３の詳細な機能については、図３の機能ブロック図を参照して後述する。
【００２０】
インタフェース部１４は、外部機器６との間で信号の送受信を行う仲介となる部分であり、信号の形式を変換したり、信号レベルを変換したりする。インタフェース部１４には外部機器６に応じたコネクタが設けられている。図２のインタフェース部１４には、図１に示すヘッドフォン６１以外にも、充電器およびキーボードなどの外部機器６が接続可能である。
【００２１】
携帯型電子機器１には、たとえば、音声通信およびデータ通信を行うための通信装置がさらに設けられているが、外部機器６の接続時のユーザインタフェース制御と直接関係しないので、図２には図示していない。
【００２２】
［携帯型電子機器の機能的構成］
図３は、図２の携帯型電子機器１の機能を示すブロック図である。以下、図３を参照して、記憶部１０および制御部１３の機能について詳しく説明する。
【００２３】
１．記憶部
記憶部１０は、テーブル記憶部１０１と、表示設定記憶部１０２と、アプリケーション記憶部１０３とを含む。
【００２４】
図４は、図３のテーブル記憶部１０１に記憶されているテーブルの一例を示す図である。図３、図４を参照して、テーブル記憶部１０１は、インタフェース部１４に接続可能な複数の外部機器６と、各外部機器６を接続したときに動作可能なアプリケーションソフトウェアとの対応関係を記憶する。
【００２５】
テーブル記憶部１０１には、対応のアプリケーションソフトウェアを示すデータ（名称または登録番号など）が各ソフトウェアの優先順位とともに記憶されている（図４に示すテーブルにおいて、アプリケーションソフトウェアの並び順が優先順位に対応する）。後述するように、ある外部機器６がインタフェース部に接続されたとき、対応するインストール済みのアプリケーションソフトウェアのうち優先順位の高いソフトウェア用のショートカットアイコンほど優先的に（たとえば、表示部１１の上部の近くに）表示される。
【００２６】
具体的に図４の例では、ヘッドフォン６１に対応するアプリケーションソフトウェアとして電話、音楽プレイヤー（Music  Player）、およびビデオプレイヤー（Video  Player）などが優先順位の順番で登録されている。充電器に対応するアプリケーションソフトウェアとして省エネアプリなどが登録されている。キーボードに対応するアプリケーションソフトウェアとしてメールおよびメモ帳などが登録されている。
【００２７】
図５は、図３の表示設定記憶部１０２に記憶されている表示態様の設定値の一例を示す図である。図３、図５を参照して、表示設定記憶部１０２は、外部機器６が接続されたときに表示部１１の表示態様に関する設定値を記憶する。
【００２８】
具体的に図５の例では、パラメータ「Display」は、外部機器６が接続されたときに表示部の表示を変更するか否かを設定するために用いられる。パラメータ「LocationStart」および「LocationEnd」は、接続された外部機器６に対応するアプリケーションソフトウェアを示すショートカットアイコンの配置位置および配置数を設定するために用いられる。たとえば、LocationStart＝１、LocationEnd＝４の場合は、表示部１１の第１番目から第４番目までの配置位置（合計で４箇所）に、対応のショートカットアイコンおよび／またはウィジェットが配置されることを意味する。パラメータ「Notification」は、外部機器６が接続されたとき、表示部１１の表示が変更されたことを光、音、または画像（アイコン）などでユーザに通知するか否かを設定するために用いられる。
【００２９】
再び図３を参照して、アプリケーション記憶部１０３は、インストールされたアプリケーションソフトウェアを記憶する。
【００３０】
２．制御部
制御部１３は、接続検知部１３１、表示内容決定部１３２、および表示制御部１３３としての機能を有する。これらの機能は、記憶部１０に格納された制御プログラムが制御部１３としてのマイクロプロセッサにおいて実行されることによって実現される。なお、制御部１３は、通信制御部など他の機能ブロックも当然に含むが、外部機器６の接続時におけるユーザインタフェース制御と直接関係しないものは、図３には図示していない。
【００３１】
接続検知部１３１は、インタフェース部１４に外部機器６が接続されたか否かを検知する。表示内容決定部１３２は、外部機器６の接続が検知されたときに、テーブル記憶部１０１、表示設定記憶部１０２、およびアプリケーション記憶部１０３に格納されている情報に基づいて、表示部１１に表示する内容を決定する。表示制御部１３３は、表示内容決定部１３２によって決定された表示内容が表示されるように、表示部１１を制御する。以下、外部機器６の接続時のこれらの各機能ブロックの動作について、図６のフローチャートを参照して説明する。
【００３２】
図６は、携帯型電子機器１に外部機器６が接続されたときの表示画面の変更手順を示すフローチャートである。
【００３３】
図３、図６を参照して、携帯型電子機器１に外部機器６が接続されると、インタフェース部１４は、外部機器６の接続を通知するコマンドを接続検知部１３１に発行する（ステップＳ１００）。接続検知部１３１は、当該コマンドを受信すると、表示内容決定部１３２に表示部１１の表示内容を更新するリクエストを発行する（ステップＳ１０５）。
【００３４】
表示内容決定部１３２は、接続検知部１３１から表示内容更新のリクエストを受けると、表示設定記憶部１０２に格納されている表示設定を読み出す（ステップＳ１１０）。そして、表示内容決定部１３２は、外部機器６の接続時に表示部１１の画面表示を変更する設定となっている場合には（ステップＳ１１５でＹＥＳ）、接続された外部機器６に対応するアプリケーションソフトウェアの情報をテーブル記憶部１０１から取得する（ステップＳ１２０）。さらに、表示内容決定部１３２は、アプリケーション記憶部１０３を参照することによって、テーブル記憶部１０１から取得した対応のアプリケーションソフトウェアがインストール済みか否かを確認する（ステップＳ１２５）。
【００３５】
表示内容決定部１３２は、これらの情報に基づいて、接続された外部機器６に対応するインストール済みのアプリケーションソフトウェアを示すショートカットアイコンを、図１の表示部１１の特定領域４に表示する表示データとして決定する。表示内容決定部１３２は、決定した表示データを表示制御部１３３に送る（ステップＳ１３０）。表示制御部１３３は、表示内容決定部１３２から受けた表示データに基づいて、表示部１１の特定領域４に、対応のアプリケーションソフトウェア起動用のショートカットアイコンを表示する。この結果、表示部１１の表示画像が変更される（ステップＳ１３５）。
【００３６】
接続された外部機器６に対応するアプリケーションソフトウェアが多数ある場合には、これらのアプリケーションソフトウェアに対応するショートカットアイコンは優先順位順に複数の画面を用いて表示される。この場合、操作部１２を介して表示画面の切り替えのための入力操作を受けると（ステップＳ１４０）、表示内容決定部１３２は、表示部１１の特定領域４に新たに表示するショートカットアイコンのデータを、表示制御部１３３に送る（ステップＳ１４５）。表示制御部１３３は、表示内容決定部１３２から受けた表示データに基づいて、表示部１１の特定領域４の表示内容を更新する（ステップＳ１５０）。
【００３７】
なお、図６では具体的手順は図示していないが、ユーザによってタッチパネル１２１がタッチされることによって、実行するアプリケーションソフトウェアが選択された場合には、選択されたアプリケーションソフトウェアに応じた画面が表示部１１に表示される。外部機器６が取り外された場合には、表示部１１の表示は最初の待ち受け画面に戻る。
【００３８】
［外部機器が接続されたときの表示画面の例］
図７は、図１の携帯型電子機器１に外部機器６が接続されたときの表示画面の一例を示す図である。図７には、外部機器６としてヘッドフォン６１が接続された場合の表示画面が示されている。
【００３９】
図７に示すように、図１においてショートカットアイコンＡ〜Ｄが示されていた特定領域４には、図５のテーブルに示されているヘッドフォンに対応するショートカットアイコンα〜δ（α：電話、β：音楽プレイヤー、γ：ビデオプレイヤー）が生成される。特定領域４でのショートカットアイコンα〜δの並び順は、図３のテーブル記憶部１０１に記憶されている優先順位に従う。
【００４０】
制御部１３は、特定領域４に表示されるショートカットアイコンが変更されたことを、ユーザに通知するようにしてもよい。たとえば、ＬＥＤ５を発光するようにしてもよいし、音で通知するようにしてもよい。もしくは、制御部１３は、表示部１１の上部にユーザ通知用のアイコン２０を表示するようにしてもよい。図８には、図７のアイコン２０を拡大図が示されている。
【００４１】
ヘッドフォン６１に対応するアプリケーションソフトウェアが５個以上ある場合には、対応のアプリケーソフトウェア起動用のショートカットアイコンを図１の特定領域４に全て表示することができない。この場合、表示画面切り替え用のインジケータ２１が表示部１１に表示される。ユーザはインジケータ２１が表示されている箇所をタッチすることによって次画面に切り替えることができる。
【００４２】
図９は、図１の携帯型電子機器１に外部機器６が接続されたときの表示画面の他の例を示す図である。図９の表示画面は、図７の表示画面でインジケータ２１の表示されている箇所がタッチされた場合を示している。現在接続中の外部機器６に対応するアプリケーションソフトウェアは９個以上あるとする。
【００４３】
図９に示すように、図７で表示されていたショートカットアイコンα〜δは削除され、次の優先順位のアプリケーションソフトウェアに対応するショートカットε〜θが特定領域４に表示される。図９において、上向きのインジケータ２２が表示されている箇所をユーザがタッチすることによって、表示画面は図７に示された画面に戻る。下向きのインジケータ２１が表示されている箇所をユーザがタッチすることによって、表示画面が次画面に切り替えられる。
【００４４】
図１０は、図１の携帯型電子機器に外部機器が接続されたときの表示画面のさらに他の例を示す図である。図１０の表示画面は、図９の場合と同様に、図７の表示画面でインジケータ２１が表示されている箇所がタッチされた場合を示している。ただし、現在接続中の外部機器６に対応するアプリケーションソフトウェアは５個であるとする。
【００４５】
図１０に示すように、図７で表示されていたショートカットアイコンα、βは削除され、ショートカットアイコンγ，δは、図７の場合よりも上部に表示位置を変えて表示される。新たに、次の優先順位のアプリケーションソフトウェアに対応するショートカットアイコンεが表示される。インジケータ２２が表示されている箇所をユーザがタッチすることによって、表示画面は図７に示される画面に戻る。
【００４６】
［効果］
以上のとおり、実施の形態１による携帯型電子機器１によれば、接続された外部機器６に関連するアプリケーションソフトウェアを起動するためのショートカットまたはウィジェットが、表示部１１の特定領域４に優先的に表示される。これによって、接続された外部機器６と関連性の高いアプリケーションソフトウェアを容易に使用できるようになる。
【００４７】
＜実施の形態２＞
実施の形態２による携帯型電子機器１Ａでは、ショートカットアイコンおよび／またはウィジェットの表示態様が実施の形態１の場合と異なる。その他の点、たとえば、図２に示すハードウェア構成、図３に示す機能ブロック図、および図６に示す表示変更手順のフローチャートなどは、実施の形態１および２で同じである。以下の説明では、実施の形態１による携帯型電子機器１と同一または相当する部分には同一の参照符号を付して説明を繰り返さない場合がある。
【００４８】
図１１は、実施の形態２による携帯型電子機器１Ａの外観の一例を示す図である。図１１を参照して、携帯型電子機器１Ａの表示部１１には、ショートカットアイコンＡ〜Ｈが示されている。さらに、表示部１１の右側部にはスクロールバー２３が表示されている。携帯型電子機器にインストールされているアプリケーションが９個以上の場合には、スクロールバー２３をスクロールさせることによって、図１１に表示されていないショートカットアイコンまたはウィジェットを表示させることができる。なお、インストールされているアプリケーションが８個以下の場合には、スクロールバーは表示されなくても構わない。
【００４９】
図１２は、図１１の携帯型電子機器に外部機器６が接続されたときの表示画面の一例を示す図である。図１１において外部機器６としてヘッドフォン６１が接続されることによって、表示部１１の表示画面は図１２に示すように変化する。
【００５０】
具体的に図１２の例では、ヘッドフォン６１に対応するアプリケーションソフトウェアを起動するためのショートカットアイコンＣ，Ｇ，Ａ，Ｊ（Ｃ：電話、Ｇ：音楽プレイヤー、Ａ：ビデオプレイヤー）が優先的に表示部１１の上部に表示されるように、ショートカットアイコンＡ〜Ｈの並び順が変更される。ヘッドフォン６１に対応するショートカットアイコンＣ，Ｇ，Ａ，Ｊの並び順は、図３のテーブル記憶部１０１に記憶されている対応アプリケーションソフトウェアの優先順位に従う。
【００５１】
実施の形態１の場合と同様に、制御部１３は、表示部１１の表示画面が変更されたことを、ＬＥＤ５および／またはアイコン２０によってユーザに通知してもよい。
【００５２】
＜変形例＞
スマートフォンに代えてフィーチャーフォンにおいても、上記の実施の形態１および２と同様に、接続された外部機器に応じて表示画面を変更することができる。
【００５３】
たとえば、フィーチャーフォンの場合には、アプリケーションソフトウェアを選択するためのメニュー画面が表示部１１に表示される。この場合、各アプリケーションソフトウェアを表す文字列がショートカットまたはウィジェットに対応する指標としてメニュー画面に表示される。ユーザは、図３のボタン操作部１２２を用いて、この指標としての文字列を選択することによって、選択された文字列が表すアプリケーションソフトウェアを起動することができる。外部機器６が接続されたときには、接続された外部機器６に対応するアプリケーションソフトウェアを表す文字列（指標）がメニュー画面の上部に表示されるように、指標としての文字列の並び順が変更される。
【００５４】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００５５】
１，１Ａ  携帯型電子機器、４  特定領域、６  外部機器、１０  記憶部、１１  表示部、１２  操作部、１３  制御部、１４  インタフェース部、６１  ヘッドフォン、１０１  テーブル記憶部、１０２  表示設定記憶部、１０３  アプリケーション記憶部、１２１  タッチパネル操作部、１２２  ボタン操作部、１３１  接続検知部、１３２  表示内容決定部、１３３  表示制御部。
【図１】
2014174742.tif 000003
【図２】
2014174742.tif 000004
【図３】
2014174742.tif 000005
【図４】
2014174742.tif 000006
【図５】
2014174742.tif 000007
【図６】
2014174742.tif 000008
【図７】
2014174742.tif 000009
【図８】
2014174742.tif 000010
【図９】
2014174742.tif 000011
【図１０】
2014174742.tif 000012
【図１１】
2014174742.tif 000013
【図１２】
2014174742.tif 000014